(57)【要約】【課題】表裏の外皮板間に断熱材を充填して形成され、雌ネジ部を有して断熱材中に埋設される連結体を備えて吊下げ可能構造とした天井用断熱パネルにおいて、断熱機能を向上させる。【解決手段】連結体の本体部材１を、裏面にナット体２を嵌合装着できる筒状装着穴１５１を、上面に装着穴と連通する透孔１１１を形成した上面板部１１、上面板部の前後辺に連続して下方傾斜面とし、且つ傾斜面に抜き孔１２１を形成した傾斜板部１２、傾斜板部に連続して前後方向に延出し、且つ前後中間方向に突出させた突出部１３１を設けたアンカー板部１３を備えると共に、上面板部、傾斜板部、アンカー板部の各左右辺にリブ板部（側辺リブ１４１）を有する形状に樹脂で一体成形し、この連結体を採用した。【選択図】図１
2010037890.tif 000002
【特許請求の範囲】
【請求項１】
表裏の外皮板間に断熱材を充填して形成され、外皮板所定位置の透孔に臨設する雌ネジ部を有して、前記断熱材中に埋設される連結体を備えて吊下げ可能構造とした天井用断熱パネルにおいて、前記連結体が、裏面に雌ネジ部を構成するナット体を嵌合装着できる筒状装着穴を形成し、且つ上面に前記装着穴と連通するボルト孔を形成した上面板部、及び前記上面板部の前後辺に連続して下方傾斜面とし、且つ前記傾斜面の下方縁に達する抜き孔を形成した傾斜板部、及び傾斜板部に連続して前後方向に延出し、且つ傾斜板部の抜き孔の上下投影範囲内で、前後中間方向に突出させた突出部を設け、更に適宜箇所に抜き孔を設けたアンカー板部を備えると共に、前記上面板部、傾斜板部並びにアンカー板部の左右辺にリブ板部を有する形状に樹脂一体成形で製出した本体部材と、筒状装着穴に嵌合装着するナット体と、嵌合装着したナット体の離脱を防止すると共に筒状装着穴全体を塞ぐ為に、筒部底面に貼着するシール体で構成してなることを特徴とする天井用断熱パネル。
【請求項２】
傾斜板部の抜き孔側縁表裏に、上面板部及びアンカー板との間にリブ部を設けると共に、傾斜板部の傾斜面に、上下方向に貫通する抜き孔を設けてなる請求項１記載の天井用断熱パネル。
【発明の詳細な説明】
【技術分野】
【０００１】
本発明は、クリーンルーム、プレハブ式冷蔵室等の吊下げ組み込みされる天井用断熱パネルに関するもので、特に吊下げ構造の改良に係るものである。
【背景技術】
【０００２】
クリーンルーム、プレハブ式冷蔵室等の天井パネルは一般に表裏の薄金属板（外皮板）の間に断熱材（一般に発泡樹脂）を充填し、周端を凹凸条に形成して隣接パネルが互いに嵌合するようにしているもので、躯体の梁から釣り下げて天井を構築するようにしているものである。
【０００３】
吊下げのための具体的構造は、特許文献１（実公昭６３−１５７４６号公報）に開示されているように、雌ネジ部を有する連結体をパネル内に埋設し、当該雌ネジ部に吊下用取付金具をボルトで連結固定し、前記吊下用取付金具を使用して、上方の梁などに吊り下げ連結しているものである。
【０００４】
前記の連結体は、例えば特許文献１に開示されているように下方左右に張り出したアンカー板と、上方左右に張り出した外皮当接板を備え、左右中心でアンカー板部と外皮当接板部との中間に雌ネジ部となるナット体を装着した金具である。
【０００５】
また特許文献２（実公平６−２７６９０号公報）に開示されている連結体は、パネルコーナーに埋設される金具で、外皮当接板部の一辺にアンカー板部を連設し、外皮当接板部の裏面に雌ネジ部となるナット体を溶接しているものである。
【０００６】
【特許文献１】実公昭６３−１５７４６号公報。
【特許文献２】実公平６−２７６９０号公報。
【発明の開示】
【発明が解決しようとする課題】
【０００７】
前記の断熱用天井パネルを吊下げるための連結体は、強度上の問題から金属板で製出したものであるが、アンカー板部と冷蔵室側の外皮板との間の断熱体厚さが狭くなるので、パネル全体の断熱性能を低下させる要因となっている。
【０００８】
また雌ネジ部の形成のためにナット体を採用しているが、ナット体を固定するために溶接工程が必要であり、製造上煩雑である。
【０００９】
また前記のナット体の採用に変えて、当該個所に雌ネジを形成する場合もあるが、やはりネジを形成する工程が必要であり製造上煩雑である。
【００１０】
そこで本発明は、樹脂製の連結体を採用した天井用断熱パネルを提案したものである。
【課題を解決するための手段】
【００１１】
本発明に係る天井用断熱パネルは、表裏の外皮板間に断熱材を充填して形成され、外皮板所定位置の透孔に臨設する雌ネジ部を有して、前記断熱材中に埋設される連結体を備えて吊下げ可能構造とした天井用断熱パネルにおいて、前記連結体が、裏面に雌ネジ部を構成するナット体を嵌合装着できる筒状装着穴を形成し、且つ上面に前記装着穴と連通するボルト孔を形成した上面板部、及び前記上面板部の前後辺に連続して下方傾斜面とし、且つ前記傾斜面の下方縁に達する抜き孔を形成した傾斜板部、及び傾斜板部に連続して前後方向に延出し、且つ傾斜板部の抜き孔の上下投影範囲内で、前後中間方向に突出させた突出部を設け、更に適宜箇所に抜き孔を設けたアンカー板部を備えると共に、前記上面板部、傾斜板部並びにアンカー板部の左右辺にリブ板部を有する形状に樹脂一体成形で製出した本体部材と、筒状装着穴に嵌合装着するナット体と、嵌合装着したナット体の離脱を防止すると共に筒状装着穴全体を塞ぐ為に、筒部底面に貼着するシール体で構成してなることを特徴とするものである。
【００１２】
而して前記パネルは、アンカー部が充填断熱材に埋まり、その際抜き孔内にも充填断熱材が入り込み、突出部が充填断熱材に喰い込む状態となり、連結体が充填剤熱材と堅牢に一体化される。この連結体を備えた天井用断熱パネルは、従前のパネルと同様に外皮板上に吊下用取付金具を添わせ、透孔からナット体に取付ボルトを螺合緊締し、従前と同様に梁等に吊り下げられるものである。
【００１３】
特に本発明においては、連結体の本体部材が樹脂製であるから断熱性能が向上するものであり、また最も力が加わる雌ネジ部には金属製のナット体を採用し、且つ本体部材には側辺リブ部を設けて補強したものであるから金属製連結体と比較しても十分な強度を備えるものである。
【００１４】
更に連結体の製造上に於いても、ナット体の固定は、本体の一体成型で形成される筒状装着穴に嵌合させる構造を採用しているので、従前の溶接作業を必要とせず、またシール体の貼着で、断熱材充填作業において、ナット体の螺孔に断熱材が侵入することがない。
【００１５】
また本発明（請求項２）に係る天井用断熱パネルは、前記の断熱パネルにおいて、特に傾斜板部の抜き孔側縁表裏に、上面板部及びアンカー板との間にリブ部を設けると共に、傾斜板部の傾斜面に、上下方向に貫通する抜き孔を設けてなるもので、傾斜板部に更なる抜き孔を設けて充填断熱材の一体化を図ると同時に、抜き孔形成による強度低下をリブ部で補強するものである。
【発明の効果】
【００１６】
本発明の構成は上記のとおりで、表裏外皮板の間に断熱材を充填し、吊下げ支持のためにパネル内に雌ネジ部を有する連結体を埋設している天井用断熱パネルにおいて、特に連結体の本体部材を樹脂製としたもので、パネルの断熱性能が向上するものであり、また吊下げ支持用の雌ネジ部に金属製のナット体を採用すると共に、本体部材には側辺リブ部を設けて補強したものであるから十分な強度を備え、而もナット体の組み込み構造も簡素であり、その製造が容易になったものである。
【発明を実施するための最良の形態】
【００１７】
次に本発明の実施形態について説明する。実施形態に示した天井パネルは、基本的には従前のパネルと同様に、表裏に外皮板（一般に薄金属板）Ａを備え、周端板Ｂを凹凸条に形成して隣接パネルが互いに嵌合する外形形状で、内部に断熱材Ｃを充填して形成されると共に、前記の断熱材Ｃの充填に際して、外皮板Ａの外方から吊下げ用ボルトａを螺合装着できる雌ネジ部を備えた連結体Ｄを断熱材Ｃ内に埋設してなるものである。
【００１８】
本発明は特に前記の連結体Ｄの改良に係るもので、連結体Ｄは、樹脂（ＡＢＳ樹脂）の一体成形で製出した本体部材１と、雌ネジ部を構成するナット体２と、透明なシール体３で構成される。
【００１９】
本体部材１は、上面板部１１、傾斜板部１２、アンカー板部１３及びリブ部１４を備えている。
【００２０】
上面板部１１は、外皮板Ａの内面と当接する平滑表面を備え、上面適宜位置にボルト用の透孔１１１を形成すると共に、裏面に筒部１５を垂設してなる。
【００２１】
筒部１５は、雌ネジ部を構成するナット体２を嵌合装着できる筒状装着穴１５１を設けたもので、筒状装着穴１５１と前記透孔１１１との中心線が一致する位置に形成する。
【００２２】
傾斜板部１２は、前記上面板部１１の前後辺に連続して下方傾斜面とし、下方縁でアンカー板部１３と連続しているもので、傾斜面の左右中間部分に、上方孔縁が傾斜面途中であって、下方孔縁が傾斜面の下方縁に達し、上下方向に貫通する抜き孔１２１を形成し、更に前記抜き孔１２１の左右傾斜面にも適宜大きさの抜き孔１２２を形成したものである。
【００２３】
アンカー板部１３は、傾斜板部１２の下方縁からに連続して前後方向に張り出したもので、特に傾斜板部１２の抜き孔１２１の上下投影範囲内で、前後中間方向に突出させた突出部１３１を設け、且つ適宜箇所（突出部１３１も含め）に抜き孔１３２を設けたものである。
【００２４】
リブ板部１４は、側辺リブ１４１と背面リブ１４２からなり、側辺リブ１４１は、前記上面板部１１の左右辺下方に、また傾斜板部１２並びにアンカー板部１３の各左右辺上方に連続して形成したものである。背面リブ１４２は、上面板部１１の背面に格子状に形成したもので、前記側辺リブ１４１及び後述するリブ部１４ａと連続して形成するものである。
【００２５】
またリブ部１４ａは、特に傾斜板部１２の抜き孔１２１の側縁表裏に、上面板部１１の裏面及びアンカー板部１３の表面との間に設けたもので、特に背面側のリブ部１４ａは、背面リブ１４２と連続するように設けてなる。
【００２６】
ナット体２は、前記筒状装着穴１５１に密嵌合する形状（通常は六角形）で、筒状装着穴１５１に嵌合挿入する。
【００２７】
シール体３は、薄い樹脂製の透明シールで、筒部１５と底面部分と略同一の大きさとしたもので、ナット体２を筒状装着穴１５１に嵌合挿入した後に、嵌合装着したナット体２の離脱を防止すると共に、筒状装着穴１５１全体を塞ぐように、筒部１５の底面に貼着するものである。
【００２８】
そして前記の連結体Ｄは、上面板部１１を外皮板Ａの裏面に当接して断熱材Ｃを充填硬化させて製出するもので、上面板部１１の上面以外は全て断熱材Ｃに埋設されるもので、特にアンカー板部１３および突出部１３１は、断熱材Ｃに食い込む構造となり、且つ各々の抜き孔１２１，１２２，１３２内にも断熱材が入り込み、抜き孔１２１，１２２，１３２を通して傾斜板部１２及びアンカー板部１３の表裏の断熱材Ｃが連続することになり、断熱材Ｃと連結体Ｄが一体化される。
【００２９】
更にシール体３によって断熱材Ｃがナット体２の螺孔内に侵入するのを防止しているので、断熱材Ｃ充填硬化後はそのまま使用することができ、その使用（天井構築）は、天井パネルを従前と同様に外皮板Ａ上に吊下用取付金具ｂを添わせ、外皮板Ａの透孔からナット体２に取付ボルトａを螺合緊締し、吊下用取付金具ｂを梁体や天梁金具ｃ等に吊下げ装着してなるものである。
【００３０】
特に本発明の天井用断熱パネルは連結体Ｄの本体部材１を樹脂で形成したもので、従前の金属板採用のパネルに比較して断熱機能が改善されたものである。
【００３１】
また本体部材に樹脂材を採用したとしても、リブ板部１４及びリブ部１４ａを設けることで十分な耐力性を備えることができたものである。
【図面の簡単な説明】
【００３２】
【図１】本発明の実施形態の連結体の斜視図。
【図２】同平面図。
【図３】同底面図。
【図４】同正面図。
【図５】同イ−イ線断面図。
【図６】同使用状態の説明図（側面図）。
【図７】同使用状態の説明図（正面図）。
【符号の説明】
【００３３】
Ａ        外皮板
Ｂ        周端板
Ｃ        断熱材
Ｄ        連結体
１        本体部材
１１      上面板部
１１１    透孔
１２      傾斜板部
１２１，１２２      抜き孔
１３      アンカー板部
１３１    突出部
１３２    抜き孔
１４      リブ板部
１４１    側辺リブ
１４２    背面リブ
１４ａ    リブ部
１５      筒部
１５１    筒状装着穴
２        ナット体
３        シール体
【図１】
2010037890.tif 000003
【図２】
2010037890.tif 000004
【図３】
2010037890.tif 000005
【図４】
2010037890.tif 000006
【図５】
2010037890.tif 000007
【図６】
2010037890.tif 000008
【図７】
2010037890.tif 000009